(57)【要約】【課題】  安価な構造でスピーカーの音質を聴感的に向上させること。【解決手段】  スタンド１上に液晶モジュ−ル２が固定され、該液晶モジュ−ル２に被せたキャビネット３内の下部に一対のスピーカー４が下向きに配置された薄型表示装置において、前記スタンド１のスタンドカバー１Ａが、広幅平板状基台部１ａと、該基台部１ａ上に一体突設された起立部１ｂとからなり、該起立部１ｂの前面が後方に向かって所定角度αで上向きに傾斜してスピーカー４に対向する反射面８とされており、その反射面８でスピーカー４から発信した音を前方に反射させるようにした。【選択図】        図１
2010226648.tif 000002
【特許請求の範囲】
【請求項１】
スタンド上に薄型表示部が固定され、該薄型表示部に被せたキャビネット内の下部にス
ピーカーが下向きに配置された薄型表示装置において、前記スタンドのスタンドカバーが
、広幅平板状基台部と、該基台部上に一体突設された起立部とからなり、該起立部の前面
が後方に向かって所定角度で上向きに傾斜してスピーカーに対向する反射面とされており
、その反射面でスピーカーから発信した音を前方に反射させるようにしたことを特徴とす
る薄型表示装置。
【請求項２】
前記反射面が所定の曲率半径で平面視円弧状に形成されており、その反射面でスピーカ
ーから発信した音を前方の中央に向かって反射させるようにしたことを特徴とする請求項
１に記載の薄型表示装置。
【発明の詳細な説明】
【技術分野】
【０００１】
本発明は、例えば液晶テレビ（ＬＣＤ  ＴＶ）などの薄型表示装置に関し、特に、安価
な構造でスピーカーの音質を聴感的に向上させたものである。
【背景技術】
【０００２】
従来、薄型表示装置の一例として図６（ａ）（ｂ）に示すものがあり、これは液晶テレ
ビであって、図６（ａ）は同正面図、図６（ｂ）は同側面図である。
【０００３】
図６（ａ）（ｂ）に示すように、液晶テレビは、スタンド１上に液晶モジュ−ル（薄型
表示部）２が固定され、該液晶モジュ−ル２に被せたキャビネット３内に一対のスピーカ
ー４が配置されたものである。
【０００４】
液晶テレビでは、キャビネット３の内部空間が狭いため、各スピーカー４は狭幅の楕円
形に形成された状態でキャビネット３内の下部両側に下向きに配置されている。なお、関
連する技術として特許文献１に記載したものがある。
【先行技術文献】
【特許文献】
【０００５】
【特許文献１】特開２００８−２１１３８１号公報
【発明の概要】
【発明が解決しようとする課題】
【０００６】
上記従来の構成では、各スピーカー４がキャビネット３内の下部両側に下向きに配置さ
れており、該各スピーカー４から発信した音がスタンド載置面５やスタンド１に当たるた
め、その音が乱反射して拡散され、音がこもって、特に高音域での抜けが悪くなって、音
の品位低下を招いている。
【０００７】
そこで、キャビネット３の下方に反射板を配置し、その反射板で各スピーカー４から発
信した音を前方に反射させることが考えられるが、これでは、反射板を設けることにより
、部品点数が増加してコストアップになる。
【０００８】
本発明は、上記従来の欠点に鑑み、安価な構造でスピーカーの音質を聴感的に向上させ
た薄型表示装置を提供することを目的としている。
【課題を解決するための手段】
【０００９】
上記目的を達成するため、請求項１に記載の発明は、スタンド上に薄型表示部が固定さ
れ、該薄型表示部に被せたキャビネット内の下部にスピーカーが下向きに配置された薄型
表示装置において、前記スタンドのスタンドカバーが、広幅平板状基台部と、該基台部上
に一体突設された起立部とからなり、該起立部の前面が後方に向かって所定角度で上向き
に傾斜してスピーカーに対向する反射面とされており、その反射面でスピーカーから発信
した音を前方に反射させるようにしたことを特徴としている。
【００１０】
請求項２に記載の発明によれば、請求項１に記載の発明において、前記反射面が所定の
曲率半径で平面視円弧状に形成されており、その反射面でスピーカーから発信した音を前
方の中央に向かって反射させるようにしたことを特徴としている。
【発明の効果】
【００１１】
請求項１に記載の発明によれば、スピーカーから発信した音を反射面で前方に反射させ
ているので、従来のように音が乱反射してこもることがなくなり、特に高音域での抜けが
良好で、音質を聴感的に向上させた良好な音響環境を提供することができる。
【００１２】
また、前記反射面がスタンドカバーの起立部の前面を利用して形成されているので、部
品点数が増加せず、安価な構造で、経済性にも優れている。
【００１３】
請求項２に記載の発明によれば、スピーカーから発信した音を平面視円弧状の反射面で
例えば室内中央に向けて集中的に反射させるようになっており、一層良好な音響環境を提
供することができる。
【図面の簡単な説明】
【００１４】
【図１】（ａ）は本発明の実施の一形態である薄型表示装置の正面図、（ｂ）は同側面図である。
【図２】同要部の平面図である。
【図３】同要部の斜視図である。
【図４】本発明の実施の他の形態である薄型表示装置の要部の平面図である。
【図５】同要部の斜視図である。
【図６】（ａ）は従来例の正面図、（ｂ）は同側面図である。
【発明を実施するための形態】
【００１５】
図１〜図３は本発明の実施の一形態である薄型表示装置を示すものであり、これは液晶
テレビであって、スタンド１が、合成樹脂材からなるスタンドカバー１Ａと、該スタンド
カバー１Ａ内に固着されて液晶モジュ−ル２にビス７により止着された剛性の金属製スタ
ンド芯材１Ｂとからなり、スタンドカバー１Ａは、広幅平板状基台部１ａと、該基台部１
ａ上に一体突設された起立部１ｂとからなり、該起立部１ｂの前面が後方に向かって所定
角度α（例えば４５°）で上向きに傾斜して両スピーカー４に対向する反射面８とされ、
該反射面８は音を効率良く反射するために滑面状に形成されている。上記以外の構成は図
６に示す構成とほぼ同じであるから同一部分に同一符号を付してその説明を省略する。
【００１６】
図１に示すように、前記反射面８の前後方向ａ，ｂに沿う縦幅Ｔ１が両スピーカー４の
専有範囲の縦幅ｔ１と同一またはそれより大きく設定され（Ｔ１≧ｔ１）、該反射面８の
前後方向ａ，ｂとは直交する左右方向ｃ，ｄに沿う横幅Ｈが両スピーカー４の専有範囲の
横幅ｈと同一またはそれより大きく設定されており（Ｈ≧ｈ）、両スピーカー４から発信
された音のすべてを反射面８で受けて反射する。
【００１７】
図１に示すように、起立部１ｂの上面９の前後方向ａ，ｂに沿う縦幅Ｔ２が両スピーカ
ー４からキャビネット３の後端面３ａまでの間隔ｔ２と同一またはそれより小さく設定さ
れており（Ｔ２≦ｔ２）、その起立部１ｂの上面９をキャビネット３の下面後部に当接さ
せてビス７で止着することにより、反射面８を両スピーカー４に確実に対向させる。
【００１８】
スタンド１の取付手順を説明すると、液晶モジュ−ル２を水平にした状態で該液晶モジ
ュ−ル２にスタンド１のスタンド芯材１Ｂをビス７で止着することにより、起立部１ｂの
上面９をキャビネット３の下面後部に当接させると共に、反射面８を各スピーカー４に対
向させる。
【００１９】
上記構成において、液晶モジュ−ル２を作動させ、各スピーカー４から音を下向きに発
信すると、その発信された音は反射面８で反射されて前方に投射される。
【００２０】
上記構成によれば、スピーカー４から発信した音を反射面８で前方に反射させているの
で（矢印Ａ参照）、従来のように音が乱反射してこもることがなくなり、特に高音域での
抜けが良好で、音質を聴感的に向上させた良好な音響環境を提供することができる。
【００２１】
また、前記反射面８がスタンドカバー１Ａの起立部１ｂの前面を利用して形成されてい
るので、部品点数が増加せず、安価な構造で、経済性にも優れている。
【００２２】
図４及び図５は本発明の実施の他の形態である薄型表示装置を示すものであり、これは
液晶テレビであって、反射面８が所定の曲率半径Ｒ（例えば３〜５ｍ）で平面視円弧状に
形成されている。上記以外の構成は図１〜図３に示す構成とほぼ同じであるから、同一部
分に同一符号を付してその説明を省略する。
【００２３】
上記構成において、各スピーカー４から音を下向きに発信すると、その発信された音は
反射面８で反射されて前方の中央に向かってに投射される。
【００２４】
上記構成によれば、スピーカー４から発信した音を平面視円弧状の反射面８で例えば室
内中央に向けて集中的に反射させるようになっており、一層良好な音響環境を提供するこ
とができる。
【産業上の利用可能性】
【００２５】
上記の実施の形態では、液晶テレビを例にあげて説明したが、これに限定される分けで
はなく、例えば液晶モニターなどの各種薄型表示装置にも適用される。
【符号の説明】
【００２６】
１        スタンド
１Ａ      スタンドカバー
１ａ      スタンドカバーの基台部
１ｂ      スタンドカバーの起立部
２        液晶モジュ−ル（薄型表示部）
３        キャビネット
４        スピーカー
８        反射面
α        反射面の傾斜角度
Ｒ        反射面の曲率半径
【図１】
2010226648.tif 000003
【図２】
2010226648.tif 000004
【図３】
2010226648.tif 000005
【図４】
2010226648.tif 000006
【図５】
2010226648.tif 000007
【図６】
2010226648.tif 000008